(57)【要約】【課題】  本発明は、携帯電話機から出力されるオーディオ信号をオーディオ機器の入力感度に応じた電圧に増幅することができると共に、オーディオ機器を接続した場合と、ヘッドフォンを接続した場合とで出力レベルを自動調整することができる接続装置を提供することを課題とする。【解決手段】  携帯電話機１０に接続した入力ケーブル３０からオーディオ信号と直流電源とを入力し、増幅部４０によって入力したオーディオ信号を入力した直流電源を用いて増幅し、ジャック５１から増幅したオーディオ信号を出力するように構成されていると共に、オーディオ機器２０の入力インピーダンス２０１よりも小さく、ヘッドフォン２１の入力インピーダンス２１１よりも大きい抵抗がアンプ４３と、ジャック５１との間に介装されている。【選択図】        図２
2006270583.tif 000002
【特許請求の範囲】
【請求項１】
オーディオ信号を再生する機能を有する携帯電話機に接続する接続装置であって、
前記携帯電話機で再生された音声信号と前記携帯電話機から供給される直流電源とを入力する入力ケーブルと、
該入力ケーブルから入力された音声信号を前記入力ケーブルから入力された前記直流電源を用いて増幅する増幅手段と、
該増幅手段によって増幅された音声信号を出力する出力端子とを具備し、
前記増幅手段と前記出力端子との間には、出力インピーダンスを調整する抵抗が介装されていることを特徴とする接続装置。
【請求項２】
オーディオ信号を再生する機能を有する携帯電話機と、入力されたオーディオ信号を音声出力もしくは記録媒体に記録するオーディオ機器とを接続する接続装置であって、
前記携帯電話機で再生された音声信号を入力する入力ケーブルと、
該入力ケーブルから入力された音声信号を前記入力ケーブルから入力された前記直流電源を用いて増幅する増幅手段と、
該増幅手段によって増幅された音声信号を出力する出力端子と、
該出力端子に接続され、前記増幅手段によって増幅されたオーディオ信号を前記オーディオ機器に出力すると共に、前記オーディオ機器から供給される直流電源を入力する出力ケーブルとを具備し、
前記増幅手段は、前記オーディオ機器と接続する出力ケーブルから入力された前記直流電源を用いてオーディオ信号を増幅し、
前記増幅手段と前記出力端子との間には、出力インピーダンスを調整する抵抗が介装されていることを特徴とする接続装置。
【請求項３】
前記抵抗は、前記出力端子に接続されるオーディオ機器の入力インピーダンスよりも小さく、前記出力端子に接続されるヘッドフォンの入力インピーダンスよりも大きいことを特徴とする請求項１又は２記載の接続装置。
【請求項４】
第１のモードと第２のモードとを選択する切り換えスイッチを具備し、
該切り換えスイッチによって第１のモードが選択されている場合には、前記増幅手段を介して前記入力ケーブルから入力された音声信号を前記出力端子に出力させ、前記切り換えスイッチによって第２のモードが選択されている場合には、前記増幅手段を介すことなく前記入力ケーブルから入力された音声信号を前記出力端子に出力させることを特徴とする請求項１乃至３のいずれかに記載の接続装置。
【発明の詳細な説明】
【技術分野】
【０００１】
本発明は、携帯電話機とオーディオ機器もしくはヘッドフォンとを接続する接続装置に関し、特にオーディオ信号を再生する機能を有する携帯電話機と、入力されたオーディオ信号を音声出力もしくは記録媒体に記録するオーディオ機器もしくはヘッドフォンとを接続する接続装置に関する。
【背景技術】
【０００２】
近年、通信機能を有する携帯電話機の多機能化が進み、オーディオ信号を再生する機能を有する携帯電話機によって音楽を楽しむ需要も増えている（例えば、特許文献１参照）。
【０００３】
しかしながら、携帯電話機での音楽の聴取は、一般的に携帯電話機に直接接続するイヤフォンを用いることが前提となっているため、携帯電話機から出力されるオーディオ信号は、小電圧となっている。
【０００４】
従って、従来技術では、携帯電話機と一般的なアナログ入力端子を有するオーディオ機器とを接続して音楽を楽しむ場合には、オーディオ機器の入力感度に対しては携帯電話機の出力が小電圧となっているため、オーディオ機器で音声出力される音声レベルが非常に低くなってしまうと共に、オーディオ機器で記録媒体に記録する場合には、レベルが低すぎてダイナミック・レンジやＳ／Ｎ比が充分にとれない記録しかできないという問題点があった。
【特許文献１】特開２００４−７２４９８号公報
【発明の開示】
【発明が解決しようとする課題】
【０００５】
本発明は斯かる問題点に鑑みてなされたものであり、その目的とするところは、携帯電話機から出力されるオーディオ信号をオーディオ機器の入力感度に応じた電圧に増幅することができると共に、オーディオ機器を接続した場合と、ヘッドフォンを接続した場合とで出力レベルを自動調整することができる接続装置を提供する点にある。
【課題を解決するための手段】
【０００６】
本発明は上記課題を解決すべく、以下に掲げる構成とした。
本発明の接続装置は、オーディオ信号を再生する機能を有する携帯電話機に接続する接続装置であって、前記携帯電話機で再生された音声信号と前記携帯電話機から供給される直流電源とを入力する入力ケーブルと、該入力ケーブルから入力された音声信号を前記入力ケーブルから入力された前記直流電源を用いて増幅する増幅手段と、該増幅手段によって増幅された音声信号を出力する出力端子とを具備し、前記増幅手段と前記出力端子との間には、出力インピーダンスを調整する抵抗が介装されていることを特徴とする。
【０００７】
また、本発明の接続装置は、オーディオ信号を再生する機能を有する携帯電話機と、入力されたオーディオ信号を音声出力もしくは記録媒体に記録するオーディオ機器とを接続する接続装置であって、前記携帯電話機で再生された音声信号を入力する入力ケーブルと、該入力ケーブルから入力された音声信号を前記入力ケーブルから入力された前記直流電源を用いて増幅する増幅手段と、該増幅手段によって増幅された音声信号を出力する出力端子と、該出力端子に接続され、前記増幅手段によって増幅されたオーディオ信号を前記オーディオ機器に出力すると共に、前記オーディオ機器から供給される直流電源を入力する出力ケーブルとを具備し、前記増幅手段は、前記オーディオ機器と接続する出力ケーブルから入力された前記直流電源を用いてオーディオ信号を増幅し、前記増幅手段と前記出力端子との間には、出力インピーダンスを調整する抵抗が介装されていることを特徴とする。
【０００８】
さらに、本発明の接続装置は、前記抵抗は、前記出力端子に接続されるオーディオ機器の入力インピーダンスよりも小さく、前記出力端子に接続されるヘッドフォンの入力インピーダンスよりも大きいことを特徴とする。
【０００９】
さらに、本発明の接続装置は、第１のモードと第２のモードとを選択する切り換えスイッチを具備し、該切り換えスイッチによって第１のモードが選択されている場合には、前記増幅手段を介して前記入力ケーブルから入力された音声信号を前記出力端子に出力させ、前記切り換えスイッチによって第２のモードが選択されている場合には、前記増幅手段を介すことなく前記入力ケーブルから入力された音声信号を前記出力端子に出力させることを特徴とする。
【発明の効果】
【００１０】
本発明の接続装置は、携帯電話機に接続した入力ケーブルからオーディオ信号と直流電源とを入力し、増幅手段によって入力したオーディオ信号を入力した直流電源を用いて増幅し、出力端子から増幅したオーディオ信号を出力するように構成することにより、出力端子とオーディオ機器のアナログ入力端子とを出力ケーブルによって接続した場合には、携帯電話機から出力されるオーディオ信号をオーディオ機器の入力感度に応じた電圧に増幅することができ、オーディオ機器において、適切な音声レベルで音声出力することができると共に、ダイナミック・レンジやＳ／Ｎ比を充分にとって記録を行うことができると共に、オーディオ機器の入力インピーダンスよりも小さく、ヘッドフォンの入力インピーダンスよりも大きい値の抵抗を、増幅手段と出力端子との間に介装するように構成することにより、出力端子にオーディオ機器を接続した場合と、ヘッドフォンを接続した場合とで出力レベルを自動調整することができるという効果を奏する。
【発明を実施するための最良の形態】
【００１１】
以下、本発明の実施の形態を図面に基づいて詳細に説明する。
【００１２】
（第１の実施の形態）
図１は、本発明に係る接続装置の第１の実施の形態の外観構成を示す外観図であり、図２および図３は、本発明に係る接続装置の第１の実施の形態の構成を示すブロック図である。
【００１３】
第１の実施の形態は、オーディオ信号を再生する機能を有する携帯電話機１０と、入力されたオーディオ信号を音声出力および記録する機能を有するオーディオ機器２０もしくはヘッドフォン２１とを接続する接続装置であり、図１を参照すると、携帯電話機１０に接続される入力ケーブル３０と、入力ケーブル３０に接続された増幅部４０とからなり、増幅部４０に設けられたジャック５１にオーディオ機器２０のアナログ入力端子に接続された出力ケーブル６０もしくはヘッドフォン２１が接続される。
【００１４】
携帯電話機１０は、通信ネットワークを介して他の携帯電話と通話する機能を有すると共に、通信ネットワークやパソコンから楽曲データを取り込んで記憶する機能と、記憶した楽曲データを再生してオーディオ信号を出力する機能と、外部に直流電源を供給する機能とを有し、オーディオ信号を出力するアナログ出力端子と、直流電源を出力する電源端子とが設けられている。なお、携帯電話機１０におけるオーディオ信号の出力は、オーディオ機器２０の入力感度に対して小電圧となっている。
【００１５】
オーディオ機器２０は、アナログ入力端子を有する例えばＭＤコンポやスピーカシステムであり、入力されたオーディオ信号を音声出力する機能と、入力されたオーディオ信号をＭＤ等の記録媒体に記録する機能を有する。
【００１６】
入力ケーブル３０は、携帯電話機１０のアナログ出力端子および電源端子と接続され、図２を参照すると、左右のオーディオ信号と、直流電源とを増幅部４０に入力すると共に、携帯電話機１０のＧＮＤと、増幅部４０のＧＮＤとを接続する。
【００１７】
増幅部４０は、図２を参照すると、左右のオーディオ信号に対応してそれぞれ設けられている一対の切り換えスイッチ４１、電子ボリューム４２およびアンプ４３と、入力された直流電源を昇圧するレギュレータ等の昇圧部４４と、ＤＣ成分をカットするコンデンサ４５と、出力インピーダンス調整用の抵抗４６と、電子ボリューム４２および昇圧部４４を制御するマイコン４７と、ボリュームアップ、ダウン、状態メモリ、ミュートを指示するキー群からなる操作部４８と、状態を記憶するＥＥＰＲＯＭ等の記憶部４９と、インバータ５０と、オーディオ信号を出力する出力端子であるジャック５１とを備えている。
【００１８】
切り換えスイッチ４１は、入力されたオーディオ信号を増幅して出力するＢＯＯＳＴモードと、入力されたオーディオ信号を加工せずに直接出力するＰＡＳＳモードとを切り換えるスイッチであり、図２に示す例では、ｂ接点に接続した場合には、ＢＯＯＳＴモードに設定される。ｐ接点に接続した場合には、ＰＡＳＳモードに設定される。
【００１９】
切り換えスイッチ４１がＢＯＯＳＴモードに設定された場合には、入力ケーブル３０から入力されたオーディオ信号は、ジャック５１から出力されるオーディオ信号の増幅率を調整する増幅率調整手段として機能する電子ボリューム４２によって電圧が調整され、アンプ４３に入力される。
【００２０】
アンプ４３は、昇圧部４４によって昇圧された直流電源を用いて電子ボリューム４２によって調整されたオーディオ信号を増幅する増幅手段であり、増幅したオーディオ信号をｂ接点に出力する。ｂ接点に出力された増幅したオーディオ信号は、コンデンサ４５によってＤＣ成分がカットされた後、抵抗４６を介してジャック５１から出力される。
【００２１】
また、切り換えスイッチ４１がＰＡＳＳモードに設定された場合には、入力ケーブル３０から入力されたオーディオ信号は、ｐ接点を経て直接コンデンサ４５に至り、コンデンサ４５によってＤＣ成分がカットされた後、抵抗４６を介してジャック５１から出力される。
【００２２】
切り換えスイッチ４１のｂ接点、すなわちアンプ４３からの出力は、通常１／２ＶＣＣ（昇圧部４４によって昇圧された直流電源の１／２）を基準として信号が振れているのに対し、切り換えスイッチ４１のｐ接点、すなわち入力ケーブル３０から入力される携帯電話機１０からのオーディオ信号は、ＤＣ成分がカットされているので０Ｖを基準として信号が振れている。
【００２３】
そこで、マイコン４７は、インバータ５０を介して信号ラインのＤＣ成分を監視することで切り換えスイッチ４１がＢＯＯＳＴモードとＰＡＳＳモードとのいずれに設定されているかを検出している。
【００２４】
切り換えスイッチ４１がＰＡＳＳモードに設定された場合には、信号ラインのＤＣ成分は、Ｌｏｗレベルとなり、インバータ５０を介することでマイコン４７にＨｉレベルが入力され、マイコン４７は、ＰＡＳＳモードであることを検出する。ＰＡＳＳモードでは、アンプ４３への電源供給は必要ないため、マイコン４７は、昇圧部４４の動作を止めて、自らもスリープモードに入り、消費電流を減らす。
【００２５】
切り換えスイッチ４１がＢＯＯＳＴモードに設定された場合には、切り換えスイッチ４１の切り換えによってマイコン４７にＬｏｗ割り込みが生じ、マイコン４７が起動し、ＢＯＯＳＴモードであることを検出する。マイコン４７は、ＢＯＯＳＴモードであることを検出すると、昇圧部４４を起動させてアンプ４３によってオーディオ信号を増幅させる。なお、昇圧部４４の起動時には、マイコン４７は、ミュート信号を信号ラインに出力し、起動時の雑音が出力されないように制御している。
【００２６】
なお、マイコン４７は、操作部４８のボリュームアップ、ダウンキーの操作に基づいて電子ボリューム４２をアップ／ダウンさせるが、ＢＯＯＳＴモード時のボリュームの位置を記憶部４９に蓄えておき、次に立ち上がった時に、ボリュームの位置を記憶部４９から読み出して電子ボリューム４２を前回のボリューム位置に設定する。
【００２７】
図２には、増幅部４０とオーディオ機器２０とを出力ケーブル６０によって接続した状態が、図３には、増幅部４０とヘッドフォン２１とを接続した状態がそれぞれ示されている。オーディオ機器２０の入力インピーダンス２０１は、１０〜４７ｋΩ程度であるのに対し、ヘッドフォン２１の入力インピーダンス２１１は、オーディオ機器２０の入力インピーダンス２０１よりも小さく１６〜３２Ω程度である。
【００２８】
そこで、本実施の形態では、出力インピーダンス調整用の抵抗４６として、オーディオ機器２０の入力インピーダンス２０１に比べて十分小さく（１／５００倍よりも小さい値）、且つヘッドフォン２１の入力インピーダンス２１１よりも大きい（３倍よりも大きい値）４７〜１００Ωのものが用いられている。
【００２９】
従って、増幅部４０とオーディオ機器２０とを出力ケーブル６０によって接続した場合には、抵抗４６による影響は、無視することができるレベルとなるのに対し、増幅部４０とヘッドフォン２１とを接続した場合には、抵抗４６によってヘッドフォン２１から出力されるオーディオ信号の出力レベルが下がり、アンプ４３によって増幅された影響を相殺することが可能になる。これにより、ユーザは、出力レベルを意識することなく増幅部４０のジャック５１に出力ケーブル６０もしくはヘッドフォン２１のいずれかを接続することができる。
【００３０】
以上説明したように、第１の実施の形態によれば、携帯電話機１０に接続した入力ケーブル３０からオーディオ信号と直流電源とを入力し、増幅部４０によって入力したオーディオ信号を入力した直流電源を用いて増幅し、ジャック５１から増幅したオーディオ信号を出力するように構成することにより、ジャック５１とオーディオ機器２０のアナログ入力端子とを出力ケーブル６０によって接続した場合には、携帯電話機１０から出力されるオーディオ信号をオーディオ機器２０の入力感度に応じた電圧に増幅することができ、オーディオ機器２０において、適切な音声レベルで音声出力することができると共に、ダイナミック・レンジやＳ／Ｎ比を充分にとって記録を行うことができると共に、オーディオ機器２０の入力インピーダンス２０１よりも小さく、ヘッドフォン２１の入力インピーダンス２１１よりも大きい抵抗をアンプ４３と、ジャック５１との間に介装するように構成することにより、ジャック５１にオーディオ機器２０を接続した場合と、ヘッドフォン２１を接続した場合とで出力レベルを自動調整することができるという効果を奏する。
【００３１】
さらに、第１の実施の形態によれば、マイコン４７によって、インバータ５０を介して信号ラインのＤＣ成分を監視することで切り換えスイッチ４１がＢＯＯＳＴモードとＰＡＳＳモードとのいずれに設定されているかを検出するように構成することにより、新たなマイコンポート用にスイッチを追加する必要がないという効果を奏する。
【００３２】
なお、第１の実施の形態においては、携帯電話機１０から直流電源の供給を受けるように構成したが、直流電源を供給する機能を有するオーディオ機器２０に出力ケーブル６０を接続する場合には、オーディオ機器２０から供給される直流電源を出力ケーブル６０から昇圧部４４に入力するようにしても良い。
【００３３】
（第２の実施の形態）
図４は、本発明に係る接続装置の第２の実施の形態の構成を示すブロック図である。
【００３４】
第２の実施の形態は、図４を参照すると、第１の実施の形態の構成に加え、ＬＥＤ等の報知部５２と、マイク５３とが増幅部４０に設けられていると共に、携帯電話機１０とマイコン４７とを接続する通信ラインと、マイク５３と携帯電話機１０とを接続するマイク出力ラインとが入力ケーブル３０に設けられている。
【００３５】
携帯電話機１０からのオーディオ信号をオーディオ機器２０もしくはヘッドフォン２１に出力中、携帯電話機１０に着信があった場合には、携帯電話機１０から着信を示す着信信号が入力ケーブル３０を介して増幅部４０のマイコン４７に送信される。マイコン４７は、着信信号を受信すると、ＬＥＤ等の報知部５２によって着信をユーザに知らせる。
【００３６】
報知部５２からの報知によって着信を確認したユーザによって、操作部４８に設けられた着信ボタンが押下されると、マイコン４７は、携帯電話機１０に通話信号を送信する。通話信号を受信した携帯電話機１０は、オーディオ信号の代わりに受話信号を出力すると共に、マイク５３からのマイク出力を受け付けることで、オーディオ機器２０もしくはヘッドフォン２１を受話部とし、マイク５３を送話部として通話できるようになる。
【００３７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３８】
【図１】本発明に係る接続装置の第１の実施の形態の外観構成を示す外観図である。
【図２】本発明に係る接続装置の第１の実施の形態の構成を示すブロック図である。
【図３】本発明に係る接続装置の第１の実施の形態の構成を示すブロック図である
【図４】本発明に係る接続装置の第２の実施の形態の構成を示すブロック図である。
【符号の説明】
【００３９】
１０  携帯電話機
２０  オーディオ機器
２１  ヘッドフォン
３０  入力ケーブル
４０  増幅部（第１の実施の形態）
４１  切り換えスイッチ
４２  電子ボリューム
４３  アンプ
４４  昇圧部
４５  コンデンサ
４６  抵抗
４７  マイコン
４８  操作部
４９  記憶部
５０  インバータ
５１  ジャック（出力端子）
５２  報知部
５３  マイク
６０  出力ケーブル
２０１  入力インピーダンス
２１１  入力インピーダンス
【図１】
2006270583.tif 000003
【図２】
2006270583.tif 000004
【図３】
2006270583.tif 000005
【図４】
2006270583.tif 000006